【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
脂肪族エポキシド−ＣＯ２ベースのポリカーボネートポリオール組成物であって、前記ポリカーボネートポリオール組成物は、ｉ）前記ポリカーボネートポリオール末端で熱的に分解して環状カーボネートを形成せず、そしてｉｉ）−ＯＨ末端基の官能性を有する、組成物。
【請求項２】
前記ポリカーボネートポリオールは、環状酸無水物で変性され、そしてエポキシドでキャップされた末端を有する、請求項１に記載の組成物。
【請求項３】
前記ポリカーボネートポリオールは、環状酸無水物で変性され、そしてエポキシドでキャップされた末端を有するポリ（プロピレンカーボネート）ポリマーである、請求項１に記載の組成物。
【請求項４】
Ｐ２、Ｐ３、Ｐ４、Ｐ５、Ｐ６、Ｐ６、およびＰ７：
【化２２３】
2017509772.tif 000001
【化２２４】
2017509772.tif 000002
からなる群から選択される式のポリマー鎖を含む、脂肪族エポキシド−ＣＯ２ベースのポリカーボネートポリオール組成物であって、式中、
Ｒ１、Ｒ２、Ｒ３、及びＲ４は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１、Ｒ２、Ｒ３、及びＲ４のいずれか２つ以上が、任意選択により介在する原子と一緒になって、１つまたは複数のヘテロ原子を任意選択で含有する１つまたは複数の任意選択で置換されている環を形成することができ、
部位−Ｙは、式
【化２２５】
2017509772.tif 000003
を有し、
Ｒ１’、Ｒ２’、Ｒ３’及びＲ４’は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１’、Ｒ２’、Ｒ３’及びＲ４’のいずれか２つ以上が、任意選択で介在する原子と一緒になって、１つまたは複数のヘテロ原子を任意選択で含有する１つまたは複数の任意選択で置換されている環を形成することができ、
各ｎは、前記組成物において平均約２〜約２００の範囲内であり、
Ｑは、環状酸無水物に由来する任意の二価の部位であり、
【化２１７】
2017509772.tif 000004
は、多価の部位であり；
ｙ’は、１〜５である（含む）、前記ポリマー組成物。
【請求項５】
【化２２６】
2017509772.tif 000005
は、炭素、窒素、リン、硫黄、及びホウ素からなる群から選択される１個または複数個の原子を含む、請求項４に記載の組成物。
【請求項６】
【化２２７】
2017509772.tif 000006
は、１個または複数個の炭素原子を含む、請求項４に記載の組成物。
【請求項７】
【化２２８】
2017509772.tif 000007
は、
【化２２９】
2017509772.tif 000008
である、請求項４に記載の組成物。
【請求項８】
【化２３０】
2017509772.tif 000009
は、多官能性連鎖移動剤に由来する、請求項４に記載の組成物。
【請求項９】
部位
【化２３１】
2017509772.tif 000010
は、それぞれ発生する際、
【化２３２】
2017509772.tif 000011
からなる群から独立して選択される脂肪族ポリカーボネート鎖にあり、式中、各Ｒｘは、任意選択で置換されている脂肪族、任意選択で置換されているヘテロ脂肪族、任意選択で置換されているアリール、及び任意選択で置換されているヘテロアリールからなる群から独立して選択される、請求項４に記載の組成物。
【請求項１０】
部位
【化２３３】
2017509772.tif 000012
は、前記脂肪族ポリカーボネート鎖においてそれぞれ発生する際、
【化２３４】
2017509772.tif 000013
からなる群から独立して選択され、式中、各Ｒｘは、任意選択で置換されている脂肪族、任意選択で置換されているヘテロ脂肪族、任意選択で置換されているアリール、及び任意選択で置換されているヘテロアリールからなる群から独立して選択される、請求項４に記載の組成物。
【請求項１１】
部位
【化２３５】
2017509772.tif 000014
は、前記脂肪族ポリカーボネート鎖においてそれぞれ発生する際、
【化２３６】
2017509772.tif 000015
である、請求項４に記載の組成物。
【請求項１２】
Ｑは：
【化２３７】
2017509772.tif 000016
からなる群から選択される任意選択で置換されている二価の部位であり、式中、
Ｒａ及びＲｂは、それぞれ、−Ｈ、ハロゲン、任意選択で置換されているＣ１〜８脂肪族、及び任意選択で置換されているＣ１〜８ヘテロ脂肪族からなる群から独立して選択され、２つ以上のＲａ及び／またはＲｂ基（同じまたは異なる炭素原子のいずれにあっても）が、介在する原子と一緒になって、１つまたは複数のヘテロ原子を任意選択で含有する、１つまたは複数の任意選択で置換されている、任意選択で不飽和の環を形成してよく、同じ炭素原子にあるまたは隣接する炭素原子にある２つのＲａ及びＲｂ基が、任意選択で一緒になって、アルケン、または、同じ炭素原子にある場合には、カルボニル基（例えば、オキソ）を形成してよく、
ｑは、１〜１０の整数であり、
Ｒｄは、それぞれ発生する際、ハロゲン、−ＯＲ、−ＮＲ２、−ＳＲ、−ＣＮ、−ＮＯ２、−ＳＯ２Ｒ、−ＳＯＲ、−ＳＯ２ＮＲ２、−ＣＮＯ、−ＮＲＳＯ２Ｒ、−ＮＣＯ、−Ｎ３、−ＳｉＲ３、またはＣ１〜２０脂肪族、窒素、酸素、及び硫黄からなる群から独立して選択される１〜４個のヘテロ原子を有するＣ１〜２０ヘテロ脂肪族、６〜１０員アリール、窒素、酸素、もしくは硫黄から独立して選択される１〜４個のヘテロ原子を有する５〜１０員ヘテロアリール、ならびに窒素、酸素、及び硫黄からなる群から独立して選択される１〜２個のヘテロ原子を有する４〜７員複素環式からなる群から選択される任意選択で置換されている基からなる群から独立して選択され、２つ以上のＲｄ基が、結合している炭素原子及び任意の介在する原子と一緒になって、１つまたは複数のヘテロ原子を任意選択で含有する１つまたは複数の任意選択で置換されている環を形成してよい、
請求項４に記載の組成物。
【請求項１３】
Ｑは：
【化２３８】
2017509772.tif 000017
からなる群から選択される任意選択で置換されている二価の部位であり、式中、
Ｒｄは、任意選択で存在するが、存在する場合は、それぞれ発生する際、ハロゲン、−ＯＲ、−ＮＲ２、−ＳＲ、−ＣＮ、−ＮＯ２、−ＳＯ２Ｒ、−ＳＯＲ、−ＳＯ２ＮＲ２、−ＣＮＯ、−ＮＲＳＯ２Ｒ、−ＮＣＯ、−Ｎ３、−ＳｉＲ３、またはＣ１〜２０脂肪族、窒素、酸素、及び硫黄からなる群から独立して選択される１〜４個のヘテロ原子を有するＣ１〜２０ヘテロ脂肪族、６〜１０員アリール、窒素、酸素、もしくは硫黄から独立して選択される１〜４個のヘテロ原子を有する５〜１０員ヘテロアリール、ならびに窒素、酸素、及び硫黄からなる群から独立して選択される１〜２個のヘテロ原子を有する４〜７員複素環式からなる群から選択される任意選択で置換されている基からなる群から独立して選択され、２つ以上のＲｄ基が、結合している炭素原子及び任意の介在する原子と一緒になって、１つまたは複数のヘテロ原子を任意選択で含有する１つまたは複数の任意選択で置換されている環を形成してよい、
請求項４に記載の組成物。
【請求項１４】
Ｑは
【化２３９】
2017509772.tif 000018
である、請求項４に記載の組成物。
【請求項１５】
Ｑは
【化２４０】
2017509772.tif 000019
である、請求項４に記載の組成物。
【請求項１６】
部位
【化２４１】
2017509772.tif 000020
は、前記脂肪族ポリカーボネート鎖においてそれぞれ発生する際、
【化２４２】
2017509772.tif 000021
である、請求項４に記載の組成物。
【請求項１７】
部位
【化２４３】
2017509772.tif 000022
は、前記脂肪族ポリカーボネート鎖においてそれぞれ発生する際、
【化２４４】
2017509772.tif 000023
である、請求項４に記載の組成物。
【請求項１８】
Ｑ１、Ｑ２、Ｑ３、Ｑ４、Ｑ５、Ｑ６、Ｑ７、Ｑ８、
【化２４５】
2017509772.tif 000024
及びこれらのいずれか２種以上の混合物からなる群から選択される脂肪族ポリカーボネートポリオールを含み、式中、各ｎは、前記組成物において平均約２〜約２００の範囲内であり、ｔは０〜１０である、請求項１、２、または３に記載の組成物。
【請求項１９】
前記組成物は、
約５００ｇ／ｍｏｌ〜約３，０００ｇ／ｍｏｌの平均分子量数（例えば、各ｎは、約３〜約１５である）、約１．２５未満の多分散指数、少なくとも９５％のカーボネート連結部、及び少なくとも９８％の−ＯＨ末端基を有する式Ｑ１〜Ｑ８のいずれかのポリ（プロピレンカーボネート）；
約５００ｇ／ｍｏｌの平均分子量数（例えば、ｎは、平均約３．５〜約４．５である）、約１．２５未満の多分散指数、少なくとも９５％のカーボネート連結部、及び少なくとも９８％の−ＯＨ末端基を有する式Ｑ１〜Ｑ８のいずれかのポリ（プロピレンカーボネート）；
約１，０００ｇ／ｍｏｌの平均分子量数（例えば、ｎは、平均約３．５〜約４．５である）、約１．２５未満の多分散指数、少なくとも９５％のカーボネート連結部、及び少なくとも９８％の−ＯＨ末端基を有する式Ｑ１〜Ｑ８のいずれかのポリ（プロピレンカーボネート）；
約２，０００ｇ／ｍｏｌの平均分子量数（例えば、ｎは、平均約８〜約９．５である）、約１．２５未満の多分散指数、少なくとも９５％のカーボネート連結部、及び少なくとも９８％の−ＯＨ末端基を有する式Ｑ１〜Ｑ８のいずれかのポリ（プロピレンカーボネート）；または
約３，０００ｇ／ｍｏｌの平均分子量数（例えば、ｎは、平均約１３〜約１５である）、約１．２５未満の多分散指数、少なくとも９５％のカーボネート連結部、及び少なくとも９８％の−ＯＨ末端基を有する式Ｑ１〜Ｑ８のいずれかのポリ（プロピレンカーボネート）
を含む、請求項１８に記載の組成物。
【請求項２０】
Ｑ９、Ｑ１０、Ｑ１１、Ｑ１２、Ｑ１３、Ｑ１４、
【化２４６】
2017509772.tif 000025
及びこれらのいずれか２種以上の混合物からなる群から選択される脂肪族ポリカーボネートポリオールを含み、式中、各ｎは、前記組成物において平均約２〜約２００の範囲内であり、ｔは０〜１０である、請求項１、２、または３に記載の組成物。
【請求項２１】
前記組成物は、
約５００ｇ／ｍｏｌ〜約３，０００ｇ／ｍｏｌの平均分子量数（例えば、各ｎは、約４〜約１６である）、約１．２５未満の多分散指数、少なくとも９５％のカーボネート連結部、及び少なくとも９８％の−ＯＨ末端基を有する式Ｑ９〜Ｑ１４のいずれかのポリ（エチレンカーボネート）；
約５００ｇ／ｍｏｌの平均分子量数（例えば、ｎは、平均約４〜約５である）、約１．２５未満の多分散指数、少なくとも８５％のカーボネート連結部、及び少なくとも９８％の−ＯＨ末端基を有する式Ｑ９〜Ｑ１４のいずれかのポリ（エチレンカーボネート）；
約１，０００ｇ／ｍｏｌの平均分子量数（例えば、ｎは、平均約４〜約５である）、約１．２５未満の多分散指数、少なくとも８５％のカーボネート連結部、及び少なくとも９８％の−ＯＨ末端基を有する式Ｑ９〜Ｑ１４のいずれかのポリ（エチレンカーボネート）；
約２，０００ｇ／ｍｏｌの平均分子量数（例えば、ｎは、平均約１０〜約１１である）、約１．２５未満の多分散指数、少なくとも８５％のカーボネート連結部、及び少なくとも９８％の−ＯＨ末端基を有する式Ｑ９〜Ｑ１４のいずれかのポリ（エチレンカーボネート）；または
約３，０００ｇ／ｍｏｌの平均分子量数（例えば、ｎは、平均約１５〜約１７である）、約１．２５未満の多分散指数、少なくとも８５％のカーボネート連結部、及び少なくとも９８％の−ＯＨ末端基を有する式Ｑ９〜Ｑ１４のいずれかのポリ（エチレンカーボネート）
を含む、請求項２０に記載の組成物。
【請求項２２】
式：
【化２４７】
2017509772.tif 000026
によって表される脂肪族ポリカーボネートポリオールを含む、請求項３に記載の組成物。
【請求項２３】
ｉ）式Ｐ１−ＯＨ
【化２４８】
2017509772.tif 000027
のポリカーボネートポリオールを、式
【化２４９】
2017509772.tif 000028
を有する環状無水物と反応させて、式Ｐ１−ＣＯ２Ｈ
【化２５０】
2017509772.tif 000029
のポリカーボネートポリオールをもたらすステップと、
ｉｉ）このポリオールを、式
【化２５１】
2017509772.tif 000030
のエポキシドとさらに反応させるステップと、
を含む方法であって、
式中、Ｒ１、Ｒ２、Ｒ３、及びＲ４は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１、Ｒ２、Ｒ３、及びＲ４のいずれか２つ以上が、介在する原子と任意選択で一緒になって、１つまたは複数のヘテロ原子を任意選択で含有する１つまたは複数の任意選択で置換されている環を形成することができ、
Ｒ１’、Ｒ２’、Ｒ３’及びＲ４’は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１’、Ｒ２’、Ｒ３’及びＲ４’のいずれか２つ以上が、介在する原子と任意選択で一緒になって、１つまたは複数のヘテロ原子を任意選択で含有する１つまたは複数の任意選択で置換されている環を形成することができ、
ｎは、前記組成物において平均で約２〜約２００の範囲内であり、
Ｑは、任意選択で置換されている二価の部位であり、
ｘ及びｙはそれぞれ独立して、０〜６の整数であり、ｘとｙとの合計が２〜６である、
前記方法。
【請求項２４】
部位
【化２５２】
2017509772.tif 000031
は、前記脂肪族ポリカーボネート鎖においてそれぞれ発生する際、
【化２５３】
2017509772.tif 000032
からなる群から独立して選択され、式中、各Ｒｘは、任意選択で置換されている脂肪族、任意選択で置換されているヘテロ脂肪族、任意選択で置換されているアリール、及び任意選択で置換されているヘテロアリールからなる群から独立して選択される、請求項２３に記載の方法。
【請求項２５】
部位
【化２５４】
2017509772.tif 000033
は、前記脂肪族ポリカーボネート鎖においてそれぞれ発生する際、
【化２５５】
2017509772.tif 000034
からなる群から独立して選択され、式中、各Ｒｘは、任意選択で置換されている脂肪族、任意選択で置換されているヘテロ脂肪族、任意選択で置換されているアリール、及び任意選択で置換されているヘテロアリールからなる群から独立して選択される、請求項２３に記載の方法。
【請求項２６】
部位
【化２５６】
2017509772.tif 000035
は、前記脂肪族ポリカーボネート鎖においてそれぞれ発生する際、
【化２５７】
2017509772.tif 000036
である、請求項２３に記載の方法。
【請求項２７】
Ｑは：
【化２５８】
2017509772.tif 000037
からなる群から選択される任意選択で置換されている二価の部位であり、式中、
Ｒａ及びＲｂは、それぞれ、−Ｈ、ハロゲン、任意選択で置換されているＣ１〜８脂肪族、及び任意選択で置換されているＣ１〜８ヘテロ脂肪族からなる群から独立して選択され、２つ以上のＲａ及び／またはＲｂ基（同じまたは異なる炭素原子のいずれにあっても）が、介在する原子と一緒になって、１つまたは複数のヘテロ原子を任意選択で含有する、１つまたは複数の任意選択で置換されている、任意選択で不飽和の環を形成してよく、同じ炭素原子にあるまたは隣接する炭素原子にある２つのＲａ及びＲｂ基が、任意選択で一緒になって、アルケン、または、同じ炭素原子にある場合には、カルボニル基（例えば、オキソ）を形成してよく、
ｑは、１〜１０の整数であり、
Ｒｄは、それぞれ発生する際、ハロゲン、−ＯＲ、−ＮＲ２、−ＳＲ、−ＣＮ、−ＮＯ２、−ＳＯ２Ｒ、−ＳＯＲ、−ＳＯ２ＮＲ２、−ＣＮＯ、−ＮＲＳＯ２Ｒ、−ＮＣＯ、−Ｎ３、−ＳｉＲ３、またはＣ１〜２０脂肪族、窒素、酸素、及び硫黄からなる群から独立して選択される１〜４個のヘテロ原子を有するＣ１〜２０ヘテロ脂肪族、６〜１０員アリール、窒素、酸素、もしくは硫黄から独立して選択される１〜４個のヘテロ原子を有する５〜１０員ヘテロアリール、ならびに窒素、酸素、及び硫黄からなる群から独立して選択される１〜２個のヘテロ原子を有する４〜７員複素環式からなる群から選択される任意選択で置換されている基からなる群から独立して選択され、２つ以上のＲｄ基が、結合している炭素原子及び任意の介在する原子と一緒になって、１つまたは複数のヘテロ原子を任意選択で含有する１つまたは複数の任意選択で置換されている環を形成してよい、
請求項２３に記載の方法。
【請求項２８】
Ｑは：
【化２５９】
2017509772.tif 000038
からなる群から選択される任意選択で置換されている二価の部位であり、式中、
Ｒｄは、任意選択で存在するが、存在する場合は、それぞれ発生する際、ハロゲン、−ＯＲ、−ＮＲ２、−ＳＲ、−ＣＮ、−ＮＯ２、−ＳＯ２Ｒ、−ＳＯＲ、−ＳＯ２ＮＲ２、−ＣＮＯ、−ＮＲＳＯ２Ｒ、−ＮＣＯ、−Ｎ３、−ＳｉＲ３、またはＣ１〜２０脂肪族、窒素、酸素、及び硫黄からなる群から独立して選択される１〜４個のヘテロ原子を有するＣ１〜２０ヘテロ脂肪族、６〜１０員アリール、窒素、酸素、もしくは硫黄から独立して選択される１〜４個のヘテロ原子を有する５〜１０員ヘテロアリール、ならびに窒素、酸素、及び硫黄からなる群から独立して選択される１〜２個のヘテロ原子を有する４〜７員複素環式からなる群から選択される任意選択で置換されている基からなる群から独立して選択され、２つ以上のＲｄ基が、結合している炭素原子及び任意の介在する原子と一緒になって、１つまたは複数のヘテロ原子を任意選択で含有する１つまたは複数の任意選択で置換されている環を形成してよい、
請求項２３に記載の方法。
【請求項２９】
Ｑは：
【化２６０】
2017509772.tif 000039
である、請求項２３に記載の方法。
【請求項３０】
Ｑは：
【化２６１】
2017509772.tif 000040
である、請求項２３に記載の方法。
【請求項３１】
部位
【化２６２】
2017509772.tif 000041
は、前記脂肪族ポリカーボネート鎖内にそれぞれ発生する際、
【化２６３】
2017509772.tif 000042
である、請求項２３に記載の方法。
【請求項３２】
部位
【化２６４】
2017509772.tif 000043
は、前記脂肪族ポリカーボネート鎖内にそれぞれ発生する際、
【化２６５】
2017509772.tif 000044
である、請求項２３に記載の方法。
【請求項３３】
ステップｉ）において、１種または複数種の触媒の使用をさらに含む、請求項２３に記載の方法。
【請求項３４】
ステップｉｉ）において、１種または複数種の触媒の使用をさらに含む、請求項２３または３３に記載の方法。
【請求項３５】
少なくとも１種の触媒が、（サルシ（ｓａｌｃｙ））ＭＸ（サルシ＝Ｎ，Ｎ’−ビス（３，５−ジ−ｔｅｒｔ−ブチルサリチリデン）−１，２ジアミノシクロヘキサン；Ｍ＝Ａｌ、Ｃｏ、Ｃｒ、Ｍｎ；Ｘ＝ハライドまたはカルボキシレート）、グルタル酸亜鉛、ＴＰＰＭ−Ｘ（ＴＰＰ＝テトラフェニルポルフィリン；Ｍ＝Ａｌ、Ｃｏ、Ｃｒ；Ｘ＝ハライドまたはアルコキシド）、酢酸（β−ジイミネート）亜鉛からなる群から選択される、請求項３４に記載の方法。
【請求項３６】
少なくとも１種の触媒が、コバルト（ＩＩＩ）サルシ（サルシ＝Ｎ，Ｎ’−ビス（３，５−ジ−ｔｅｒｔ−ブチルサリチリデン）である、請求項３４に記載の方法。
【請求項３７】
前記エポキシドは、エチレンオキシドである、請求項２に記載の組成物。
【請求項３８】
前記環状無水物は、コハク酸無水物、マレイン酸無水物、またはグルタル酸無水物から選択される、請求項２または３７に記載の組成物。
【請求項３９】
前記環状無水物は、コハク酸無水物である、請求項３８に記載の組成物。
【請求項４０】
請求項１に記載のポリマー組成物を含む組成物であって、請求項１に記載のポリマー組成物と架橋剤との反応から形成される、前記組成物。
【請求項４１】
前記架橋剤は、前記ポリウレタン接着剤の生成に好適なイソシアネート試薬である、請求項４０に記載の組成物。
【請求項４２】
前記イソシアネート試薬は、脂肪族、シクロ脂肪族、及び芳香族ジイソシアネートからなる群から選択される、請求項４１に記載の組成物。
【請求項４３】
前記組成物は、ポリウレタンである、請求項４０に記載の組成物。
【請求項４４】
前記組成物は、１２０℃への加熱の後、４日後に、３重量％未満の環状カーボネートを含む、請求項１、２、または３に記載の組成物。
【請求項４５】
前記組成物は、１２０℃への加熱の後、４日後に、１重量％未満の環状カーボネートを含む、請求項４３に記載の組成物。
【手続補正２】
【補正対象書類名】明細書
【補正対象項目名】０２２１
【補正方法】変更
【補正の内容】
【０２２１】
少なくとも１つの架橋性官能基を有する化合物は、所望の場合、本発明のプレポリマー中に組み込まれていてもよい。かかる化合物の例として、カルボニル、アミン、エポキシ、アセトアセトキシ、尿素−ホルムアルデヒド、酸化を介して架橋する自動酸化性基、任意選択でＵＶ活性化を有するエチレン不飽和基、オレフィン及びヒドラジド基、ブロック化イソシアネートなど、ならびにかかる基と保護形態の同じ基（そのため、架橋は、組成物が適用されて（例えば、基材に適用されて）粒子の合体が生じるまで遅延され得る）（これらは、（所望の時間で架橋が行われるように）由来元である元の基に戻すことができる）との混合物を有するものが挙げられる。
本発明の実施形態において、例えば以下の項目が提供される。
（項目１）
式Ｐ１：
【化２１６】
2017509772.tif 000045
のポリマー鎖を含むポリマー組成物であって、式中、Ｒ１、Ｒ２、Ｒ３、及びＲ４は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１、Ｒ２、Ｒ３、及びＲ４のいずれか２つ以上が、任意選択により介在する原子と一緒になって、１つまたは複数のヘテロ原子を任意選択で含有する１つまたは複数の任意選択で置換されている環を形成することができ、
Ｒ１’、Ｒ２’、Ｒ３’及びＲ４’は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１’、Ｒ２’、Ｒ３’及びＲ４’のいずれか２つ以上が、任意選択で介在する原子と一緒になって、１つまたは複数のヘテロ原子を任意選択で含有する１つまたは複数の任意選択で置換されている環を形成することができ、
各ｎは、前記組成物において平均約２〜約２００の範囲内であり、
Ｑは、環状酸無水物に由来する任意の二価の部位であり、
【化２１７】
2017509772.tif 000046
は、多価の部位であり；
ｘ及びｙはそれぞれ独立して、０〜６の整数であり、ｘとｙとの合計が２〜６である、前記ポリマー組成物。
（項目２）
ｉ）式
【化２１８】
2017509772.tif 000047
の末端基を含むポリカーボネートポリオールと、式
【化２１９】
2017509772.tif 000048
を有する環状酸無水物とを反応させて、式
【化２２０】
2017509772.tif 000049
を有する鎖末端を含むポリカーボネートポリオールを付与するステップと、
ｉｉ）前記ポリオールを、式
【化２２１】
2017509772.tif 000050
のエポキシドによってさらに処理して、式Ｅ１
【化２２２】
2017509772.tif 000051
を有する末端基を含むポリマー組成物を生じさせるステップと、を含む方法であって、
式中、Ｒ１、Ｒ２、Ｒ３、及びＲ４は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１、Ｒ２、Ｒ３、及びＲ４のいずれか２つ以上が、介在する原子と任意選択で一緒になって、１つまたは複数のヘテロ原子を任意選択で含有する１つまたは複数の任意選択で置換されている環を形成することができ、
Ｒ１’、Ｒ２’、Ｒ３’及びＲ４’は、発生各発生において、−Ｈ、フッ素、任意選択で置換されているＣ１〜４０脂肪族基、任意選択で置換されているＣ１〜２０ヘテロ脂肪族基、及び任意選択で置換されているアリール基からなる群から独立して選択され、Ｒ１’、Ｒ２’、Ｒ３’及びＲ４’のいずれか２つ以上が、介在する原子と任意選択で一緒になって、１つまたは複数のヘテロ原子を任意選択で含有する１つまたは複数の任意選択で置換されている環を形成することができ、
ｎは、前記組成物において平均で約２〜約２００の範囲内であり、
Ｑは、任意選択で置換されている二価の部位である、前記方法。
（項目３）
ステップ（ｉ）において、１種または複数種の触媒の使用をさらに含む、項目２に記載の方法。
（項目４）
ステップ（ｉｉ）において、１種または複数種の触媒の使用をさらに含む、項目２または３に記載の方法。
（項目５）
項目１に記載のポリマー組成物を含む組成物であって、項目１に記載のポリマー組成物と架橋剤との反応から形成される、前記組成物。
（項目６）
ポリウレタンである、項目５に記載の組成物。